【手続補正書】
【提出日】平成21年3月24日(2009.3.24)
【手続補正１】
【補正対象書類名】特許請求の範囲
【補正対象項目名】請求項３
【補正方法】変更
【補正の内容】
【請求項３】
前記第１接続パターン情報生成部は前記第１装置が発行する端子配列要求に応答して、前記第１接続パターン情報を更新することを特徴とする請求項１記載の装置間の接続方式。
【手続補正２】
【補正対象書類名】特許請求の範囲
【補正対象項目名】請求項４
【補正方法】変更
【補正の内容】
【請求項４】
前記第１接続パターン情報生成部は、
複数の前記第１接続パターン情報を格納する第１テーブルと、
前記第１テーブルの前記第１接続パターン情報を指定する第１ポインタ情報を生成及び更新する第１選択部と
を備えることを特徴とする請求項１乃至３のいずれか一つに記載の装置間の接続方式。
【手続補正３】
【補正対象書類名】特許請求の範囲
【補正対象項目名】請求項１０
【補正方法】変更
【補正の内容】
【請求項１０】
前記第２装置は、
複数の前記第２接続パターン情報を格納する第２テーブル
をさらに備え、
前記第２接続部は前記第１ポインタ情報に基づいて前記第２テーブルに格納された前記第２接続パターン情報を選択し、前記第２テーブルから選択した前記第２接続パターン情報に基づいた可変の前記第２接続関係で、前記第２接続端子の各々を前記第２配線の少なくとも一つと電気的に接続することを特徴とする請求項４乃至８記載のいずれかに記載の装置間の接続方式。
【手続補正４】
【補正対象書類名】特許請求の範囲
【補正対象項目名】請求項１１
【補正方法】変更
【補正の内容】
【請求項１１】
前記第２装置は、
前記第２接続パターン情報を生成及び更新する第２接続パターン情報生成部
をさらに備え、
前記第２接続パターン情報生成部は、
複数の前記第２接続パターン情報を格納する第２テーブルと、
前記第１選択部と同期して、前記第２テーブルの前記第２接続パターン情報を指定する第２ポインタ情報を生成及び更新する第２選択部と
を備え、
前記第２接続部は前記第２接続パターン情報生成部が選択した前記第２接続パターン情報に基づいた可変の前記第２接続関係で、前記第２接続端子の各々を前記第２配線の少なくとも一つと電気的に接続することを特徴とする請求項４乃至８のいずれかに記載の装置間の接続方式。
【手続補正５】
【補正対象書類名】特許請求の範囲
【補正対象項目名】請求項１８
【補正方法】変更
【補正の内容】
【請求項１８】
第１配線の複数と、
第１接続端子の複数と、
第１接続パターン情報に基づいた可変の第１接続関係で、前記第１接続端子の各々を前記第１配線の少なくとも一つと電気的に接続する第１接続部と、
前記第１接続パターン情報を生成及び更新する第１接続パターン情報生成部と
を備え、
前記第１接続パターン生成部は、
複数の前記第１接続パターン情報を格納する第１テーブルと、
前記第１テーブルの前記第１接続パターン情報を指定する第１ポインタ情報を生成及び更新し、前記第１ポインタ情報に基づいて前記第１接続パターン情報を選択する第１選択部と
を備え、
前記第１ポインタ情報が外部に出力されることを特徴とする接続装置。
【手続補正６】
【補正対象書類名】明細書
【補正対象項目名】００５８
【補正方法】変更
【補正の内容】
【００５８】
上述の接続により、配線１３１ｂ、１３１ｃは入出力用の端子に、信号線１３２は出力用の端子に、信号線１３３、１３４は入力用の端子に、それぞれ接続されることになる。図２では接続端子１０１ｂが入出力用の端子として、接続端子１０１ｄが出力用の端子として機能し、接続端子１０１ａ、１０１ｃが入力用の端子として、それぞれ機能する場合が例示されている。
【手続補正７】
【補正対象書類名】明細書
【補正対象項目名】００６９
【補正方法】変更
【補正の内容】
【００６９】
選択器５１２、５１４、５１６、５１７は、いずれも配線２３１ｂ、信号線２３３、２３４を相互に排他的に、バッファ５０１、５０２、５０３、５０４のいずれかのスリーステート出力バッファの入力端子に接続する。かかる排他的な接続は、選択器５１２、５１４、５１６、５１７にそれぞれ入力する信号Ｓｅｌｅｃｔ２ｂ、Ｓｅｌｅｃｔ２ｄ、Ｓｅｃｔ２ｆ、Ｓｅｌｅｃｔ２ｇに基づいた選択器５１２、５１４、５１６、５１７における選択動作によって実現される。但し配線２３１ｂは、選択器５１１、５１３によって選択されたバッファに接続される。よって図３の例で言えば、配線２３１ｂをバッファ５０２に接続するため、バッファ５０２に対応した選択器５１４が配線２３１ｂを選択して、これをバッファ５０２が備えるスリーステート出力バッファの入力端子に接続する。また図３では信号線２３３は選択器５１２によって選択され、選択器５１２に対応したバッファ５０１が備えるスリーステート出力バッファの入力端子に接続される。同様に、信号線２３４は選択器５１６によって選択され、選択器５１６に対応したバッファ５０３が備えるスリーステート出力バッファの入力端子に接続される。
【手続補正８】
【補正対象書類名】明細書
【補正対象項目名】００７１
【補正方法】変更
【補正の内容】
【００７１】
上述の接続により、配線２３１ｂ、２３１ｃは入出力用の端子に、信号線２３２は入力用の端子に、信号線２３３、２３４は出力用の端子に、それぞれ接続されることになる。図３では接続端子２０１ｂが入出力用の端子として、接続端子２０１ｄが入力用の端子として機能し、接続端子２０１ａ、２０１ｃが出力用の端子として、それぞれ機能する場合が例示されている。
【手続補正９】
【補正対象書類名】明細書
【補正対象項目名】００７３
【補正方法】変更
【補正の内容】
【００７３】
ピンスクランブルコントローラ２０４は内部にレジスタ２４１を備えており、パラメータ生成部１０５で生成および更新されたパラメータを後述する方法で受け取って、レジスタ２４１に格納し、当該パラメータに基づいてピンスクランブルバッファ２０２を制御する。このとき、前段落で述べたように、信号線１０３と信号線２０３との接続関係を固定するために、ピンスクランブルバッファ２０２は、信号線１０３と接続端子１０１との接続関係に対応して、信号線２０３と接続端子２０１との接続関係を制御する。また、ピンスクランブルバッファ２０２はメモリデバイス２が備えるメモリコントローラ（図示せず）にアクセスイネーブル信号を出力して、メモリデバイス２が備えるメモリ（図示せず）へのアクセスを許可／禁止することができる。
【手続補正１０】
【補正対象書類名】明細書
【補正対象項目名】００７７
【補正方法】変更
【補正の内容】
【００７７】
信号線１３４から端子配列要求を入力したピンスクランブルコントローラ１０４は、ステップＳ４にて、カウンタ回路１５２にカウンタ信号を出力する。カウンタ回路１５２は今までに入力されたカウンタ信号を計数して、その数をポインタ信号として出力する。すなわち、ポインタ信号は、ステップＳ４を実行するたび（端子配列変更動作の実行毎）に１だけ加算される。
【手続補正１１】
【補正対象書類名】明細書
【補正対象項目名】０１０９
【補正方法】変更
【補正の内容】
【０１０９】
【図１】実施の形態１にかかるシステムの概略構成図である。
【図２】ピンスクランブルバッファ１０２の内部構成図である。
【図３】ピンスクランブルバッファ２０２の内部構成図である。
【図４】実施の形態１にかかる端子配列動作を示すフローチャートである。
【図５】実施の形態２にかかるシステムの概略構成図である。
【図６】実施の形態２にかかる端子配列動作を示すフローチャートである。
【図７】実施の形態３にかかるシステムの概略構成図である。
【図８】実施の形態３にかかる端子配列動作を示すフローチャートである。
【手続補正１２】
【補正対象書類名】図面
【補正対象項目名】図３
【補正方法】変更
【補正の内容】
【図３】
2007323470.tif 000001
【手続補正１３】
【補正対象書類名】図面
【補正対象項目名】図８
【補正方法】変更
【補正の内容】
【図８】
2007323470.tif 000002